(57)【特許請求の範囲】
【請求項１】
マスク面体と、該マスク面体の面口部（８）を気密状態で、且つ、回動自在に貫通する導水装置とから成り、該導水装置は、前記マスク面体の内側に配置されるチューブ（３）と前記マスク面体の外側に配置されるカプラソケット（１）とがエルボ継手（２）を介して一体に回動し得るように連結されており、前記マスク面体の面口部（８）の外面に、前記カプラソケット（１）を起伏自在に収納する凹部（２０）を形成し、前記カプラソケット（１）は、これを倒して前記凹部（２０）内に収納させたとき、前記チューブ（３）の内端部が前記面口部（８）の中心部から遠ざかり、これを起立させて前記凹部（２０）の側方に突出させたとき、前記チューブ（３）の内端部が前記面口部の中心部に接近するべく前記チューブ（３）に連結されていることを特徴とした防護マスク。
【請求項２】
前記カプラソケット（１）の外面にキャップ（４）を被覆すると共に、該キャップ（４）の先端部分をカプラソケット（１）に対してその軸線方向に着脱可能とし、前記キャップ（４）の先端部分の外面につまみ部（２３）を突設した請求項１に記載の防護マスク。
【請求項３】
前記チューブ（３）は、前記マスク面体の内外方向に延びる回動軸部（１６）と、一端が前記回動軸部（１６）の内端に連結され、その軸線が前記カプラソケット（１）の軸線と略平行にされたアーム部（１７）と、該アーム部（１７）の他端に連結され、その軸線が前記回動軸部（１６）の軸線と略平行にされた飲口（１８）とから成る請求項１又は２に記載の防護マスク。
【発明の詳細な説明】
【０００１】
【発明の属する技術分野】
本発明は、装着したまま水を飲むことができる防護マスクに関する。
【０００２】
【従来の技術】
従来、面口部を貫通して気密状態に取り付けられ、マスクの内側でエルボーが連結された第１のカプラーソケットと、エルボーに接続された段付き管と、段付き管にはめ合わせた内側チューブとを備え、水筒の栓に設けた第２のカプラーソケットを第１のカプラーソケットに接続することによって、水筒の水をマスク内に導入するようにした防護マスクの水飲み装置が実公平７−１０７７１号公報に開示されている。
【０００３】
上記従来の水飲み装置では、マスク側の第１のカプラーソケットと水筒側の第２のカプラーソケットとを接続した後、内側チューブの先端に形成された飲み口をくわえれば、飲水可能となる。
【０００４】
しかし、内側チューブの飲口は、通常、会話等の際に口を動かしても顔面に接触しないように配置されているため、飲水の際には面口部を内側に押して、飲口をちょうど口元に当たるように接近させなければならず、操作が面倒であり、また、面口部を押すことによって、マスク面体と顔面との間に隙間を生じ、マスクの気密性を崩す虞もある。
【０００５】
さらに、第１のカプラーソケットが面口部から突出しているので、これを何らかの物体に接触したり引っかけると、マスク面体の一部が顔面より離間し、気密性に悪影響を与える心配がある。
【０００６】
また、防護マスクの面口部の側部に上下に並べてマスクの外側と内側とを貫通する貫通孔を穿設し、下部貫通孔にはカプラを嵌合させ、カプラのマスク内側にはパイプ上の水飲み装置本体を取り付け、上部貫通孔には、スプリングによって外方に付勢されていて、マスクの内外に突出しうる押しボタンが取り付けられ、マスク外側から押しボタンをマスク内方に押すことによって、水飲み装置本体を押圧屈曲させて、その先端にある口片部を着用者の口の位置にもたらす防護マスクが特開平１１−２０６８９７号公報に開示されている。
【０００７】
これによれば、カプラのマスク外側に水筒のチューブを接続し、押しボタンを押して口片部を着用者の口元に接近させることにより、面口部を押して変形させなくても水を飲むことができる。
【０００８】
しかし、このものは、押しボタン式にしたことによって部品点数が増えて構造が複雑となり、コストが高くつく。また、面口部の側方にカプラソケットが大きく突出するという欠点は改善されていない。
【０００９】
さらに、押しボタンを押して水飲み装置本体を屈曲させるため、押圧力の加減が難しく、場合によってはマスク面体がゆがんで気密性が崩れる虞がある。
【００１０】
【発明が解決しようとする課題】
この発明は、気密性に影響を与えることなく、簡単な操作で水を飲むことができ、安全性が高く、しかも、構造が簡単な防護マスクを提供することを課題とする。
【００１１】
【課題を解決するための手段】
本発明の防護マスクは、マスク面体と、該マスク面体の面口部を気密状態で、且つ、回動自在に貫通する導水装置とから成る。導水装置は、前記マスク面体の内側に配置されるチューブと、前記マスク面体の外側に配置されるカプラソケットとを備える。マスク面体の面口部の外面に、前記カプラソケットを起伏自在に収納する凹部を形成し、前記カプラソケットは、これを倒したとき、前記チューブの内端部が前記面口部の中心部から遠ざかり、これを起立させたとき、前記チューブの内端部が前記面口部の中心部に接近するべく前記チューブに連結されている。
【００１２】
通常の作業時には、カプラソケットが側方に張り出して邪魔にならないように、これを倒して面口部の凹部内に収納させておき、チューブの内端部を面口部の中心部から、即ち着用者の口元から遠ざけておく。
水を飲むときには、カプラソケットを引き起こすことによって導水装置を回動させ、チューブの内端部を面口部の中心部に近付けて、着用者がくわえられるようにし、カプラソケットの外端部に水筒を接続する。
【００１３】
チューブの内端部を着用者の口元に接近させるには、回動操作を行えばよいので、押圧力によって面口部が変形する心配がない。
カプラソケットの外面にキャップを被覆すると共に、該キャップの先端部分をカプラソケットに対してその軸線方向に着脱可能とし、前記キャップの先端部分の外面につまみ部を突設することが可能である。
【００１４】
キャップで被覆した構成により、カプラソケットが空気中の有毒物質で汚染されるのを防ぎ、つまみ部を引くことによって簡単にカプラソケットを起立させると同時に、キャップを外すことができる。
【００１５】
チューブを、マスク面体の内外方向に延びる回動軸部と、一端が前記回動軸部の内端に連結され、その軸線がカプラソケットの軸線と略平行にされたアーム部と、該アーム部の他端部に連結され、その軸線が回動軸部の軸線と略平行にされた飲口とから構成しても良い。
【００１６】
【発明の実施の形態】
以下、本発明の実施形態を図面に基づいて詳細に説明する。
【００１７】
図２及び図３に示すように、本発明の防護マスクは、着用者の顔面全面を覆う全面タイプのものであって、マスク面体Ａと、マスク面体Ａの面口部８を気密状態で、且つ、回動自在に貫通する導水装置Ｂとから成る。
【００１８】
マスク面体Ａの背後には、バンドを介して着用者が頭部に被るための伸縮ネット９が装着されており、マスク面体Ａの下部に設けられた面口部８には、マスク面体Ａの内外を連通する通気口１０が形成され、この通気口１０の外面に、空気中の有毒物質を吸収する吸収缶１１が着脱自在に取り付けられるようになっている。
【００１９】
また、図１に示すように、通気口１０の側方において面口部８の外面には、縦長の凹部２０が形成され、この凹部２０の上部に導水装置Ｂを挿通するための貫通孔１２（図４）が形成されている。
【００２０】
導水装置Ｂは、図４に示すように、面口部８の貫通孔１２に挿通される第１のパイプ部分１３及び面口部８の外面に沿う第２のパイプ部分２４を有するエルボ継手２と、マスク面体Ａの内側に配置されるチューブ３と、エルボ継手２の第２のパイプ部分２４に取り付けられてマスク面体Ａの外側に配置されるカプラソケット１と、エルボ継手２の面口部８の外方部分及びカプラソケット１の外面に被覆される汚染防止用のキャップ４とを備える。
【００２１】
面口部８の内面において、エルボ継手２の第１のパイプ部分１３の外周にはＥリング７が装着され、導水装置Ｂが面口部８から抜け落ちないように固定されている。また、面口部８の貫通孔１２の内周面において、第１のパイプ部分１３の外周にはＯリング６が装着され、導水装置Ｂが回動しても気密状態を保持できるようになっている。
【００２２】
また、エルボ継手２の第１のパイプ部分１３の内端部は段付き部１４となっており、この段付き部１４にチューブ３の外端部が外嵌されている。
【００２３】
チューブ３は、比較的軟質で可撓性を有するシリコンゴム等を素材とし、マスク面体Ａの内外方向に延びる回動軸部１６と、その内端部を略直角に屈曲することによって、一端が回動軸部１６の内端に連結され、その軸線がカプラソケット１の軸線と略平行にされたアーム部１７と、アーム部１７の他端部をさらに略直角に屈曲することによって、アーム部１７の他端部に連結され、その軸線が回動軸部１６の軸線と略平行にされた飲口１８とから成る。
【００２４】
また、チューブ３の内径は段付き部１４の外径よりもやや小さく形成され、回動軸部１６の外端部を段付き部１４に締り嵌めすることによって、チューブ３がエルボ継手２の第１パイプ部分１３から抜けないように、且つ、一体に回動するように取り付けられている。そして、このようにチューブ３を取り付けると、アーム部１７が着用者の顔面にほぼ平行に配置され、飲口１８が着用者の顔面口部に向かって延びることになる。
【００２５】
エルボ継手２の第２のパイプ部分２４の端部にカプラソケット１が、シールワッシャ５を介して気密状態で、且つ、アーム部１７と略平行に延びるよう一体に連結されている。このようにして、カプラソケット１はチューブ３に連結されている。
【００２６】
また、カプラソケット１とエルボ継手２の面口部８より外方に配置された部分とを結合した大きさは、面口部８に形成された凹部２０よりも一回り小さく形成され、カプラソケット１及びエルボ継手２の外方の部分が、面口部８の凹部２０に起伏自在に収納される。
【００２７】
キャップ４は、伸縮性のあるゴム或いは合成樹脂を素材とし、エルボ継手２の外面を覆う基部被覆部２１とカプラソケット１の先端部分外面を覆う先端被覆部２２とを有する。
【００２８】
また、図１に示すように、基部被覆部２１と先端被覆部２２の対向縁は、カプラソケット１を倒したときに内側に位置する半周部分において接続されており、外側に位置する半周部分が離間されると共に、先端被覆部２２の対向縁につまみ部２３が突設されている。
【００２９】
従って、キャップ４のつまみ部２３を摘んで外側方に引くと、カプラソケット１が起立して導水装置Ｂが回動する。カプラソケット１が凹部２０の上壁に当たってそれ以上回動しなくなった状態から、さらにつまみ部２３を外方に引き続けると、基部被覆部２１はＬ状に屈曲して移動が規制されているため、先端被覆部２２のみが外れて、カプラソケット１の先端部分が露出する。
【００３０】
本発明の防護マスクを着用して、通常の作業を行う場合には、図１及び図５に示すように、カプラソケット1 が側方に張り出して邪魔にならないよう、これを倒して面口部８の外面に形成された凹部２０に収納しておく。
【００３１】
このようにすると、チューブ３のアーム部１７は面口部８の側壁内面に沿って配置され、飲口１８が面口部８の中心部から遠ざかって、着用者が会話する際等に邪魔にならない。
水を飲む時には、キャップ４のつまみ部２３を摘んで外側方に引っ張ると、図６に示すように、カプラソケット１が矢印ａに沿って回動して側方に突出し、導水装置Ｂが面口部８の貫通孔１２の中心（チューブ３の回動軸部１６及び第１のパイプ部分１３の中心軸）を回転中心として、図の反時計回りに回動する。
この結果、チューブ３のアーム部１７が矢印ｂに沿って回転し、その先端に設けられた飲口１８が面口部８の中心部、即ち、着用者の口元に接近して、くわえることができるようになる。
【００３２】
また、カプラソケット１が凹部２０の上壁に当たってそれ以上回動しなくなった状態から、つまみ部２３をさらに矢印ｃに沿って外方に引くと、キャップ４の先端被覆部２２が外れてカプラソケット１の先端部分が露出する。
【００３３】
この露出したカプラソケット１の先端部分に、水筒から延びる給水チューブの先端に装着されたプラグ（図示せず）を接続すると、くわえた飲口１８を吸うことによって水筒内の水を飲むことができる。
【００３４】
水を飲み終わったら、水筒のプラグを外してから、カプラソケット１の先端部分にキャップ４の先端被覆部２２を被せ、カプラソケット１を倒して凹部２０に収納すると共に、飲口１８を着用者の口元から遠ざける。
【００３５】
なお、チューブの形状は、カプラソケットを起伏させることによって、内端部に形成された飲口が着用者の口元に接離する形状であれば、特に上記実施形態のものに限定されないが、上記したチューブ３の形状は、飲口１８のみが着用者の口元に接近して、他の部分が顔面に接触しにくいので優れている。
【００３６】
【発明の効果】
請求項１に係る発明によれば、カプラソケットを起立させて、これに水筒を接続するという簡単な操作で水を飲むことができると共に、マスク面体を内方に押す動作が不要なので、導水装置を操作したときに、マスク面体が押圧力によって変形して気密性が崩れる心配が無い。
【００３７】
また、通常の作業時には、マスク面体の外側に位置するカプラソケットを倒して凹部に収納できるため、突出したカプラソケットに物が引っかかって、マスク面体が変形したり外れることがなく、安全性が高い。
さらに、水を飲んでいる時に、誤って水筒を落とす等によりカプラソケットに不意に大きな負荷が加わっても、導水装置が回動することによって応力を逃がし、倒れたカプラソケットが凹部の周壁によって支えられるので、いっそう安全性が向上する。
【００３８】
また、チューブの内端部を着用者の口元に接近させるために、押しボタン等の特別な装置を必要としないので、構造が単純で済み、コストの増大を抑制することができる。
【００３９】
請求項２に係る発明によれば、カプラソケットが空気中の有毒物質で汚染されるのを防止することができ、つまみ部を引くだけで簡単にカプラソケットを起立させると同時に、キャップを外すことが可能である。
【００４０】
請求項３に係る発明によれば、カプラソケットを起立させることによって、アーム部が着用者の顔面に略平行に回転し、その先端から顔面に向かって延びる飲口を、確実に着用者の口元に接近させることができると共に、チューブには、カプラソケットを倒したときに顔面に接近する部分がないので邪魔にならない。
【図面の簡単な説明】
【図１】本発明の実施形態を示す防護マスクの要部正面図
【図２】同上の側面図
【図３】同上の全体正面図
【図４】吸水装置の断面図
【図５】飲水しない場合の防護マスクの要部正面図
【図６】飲水する場合の防護マスクの要部正面図
【符号の説明】
Ａ  マスク面体
Ｂ  導水装置
１  カプラソケット
２  エルボ継手
３  チューブ
４  キャップ
５  シールワッシャ
６  Ｏリング
７  Ｅリング
８  面口部
９  伸縮ネット
１０  通気口
１１  吸収缶
１２  貫通孔
１３  第１のパイプ部分
１４  段付き部
１６  回動軸部
１７  アーム部
１８  飲口
２０  凹部
２１  基部被覆部
２２  先端被覆部
２３  つまみ部
２４  第２のパイプ部分
【図１】
0003726129.tif 000002
【図２】
0003726129.tif 000003
【図３】
0003726129.tif 000004
【図４】
0003726129.tif 000005
【図５】
0003726129.tif 000006
【図６】
0003726129.tif 000007